(57)【要約】【課題】幼児に期待や驚きを感じさせることができる本型玩具を提供する。【解決手段】第一筐体２と、第二筐体３と、第一筐体２と第二筐体３とを折畳可能に連結するヒンジ４と、を備える。そして、第一筐体２及び第二筐体３の見開き面の双方には、付属玩具５が設けられている。更に、第一筐体２及び第二筐体３が折り畳まれる際に、第一筐体２及び第二筐体３が閉じるのを阻止することが可能な阻止部２１を更に備える。【選択図】図６
2018192192.tif 000002
【特許請求の範囲】
【請求項１】
第一筐体と、
第二筐体と、
前記第一筐体と前記第二筐体とを折畳可能に連結するヒンジと、を備え、
前記第一筐体及び前記第二筐体の見開き面の双方に、付属玩具が設けられている、
本型玩具。
【請求項２】
前記第一筐体及び前記第二筐体が折り畳まれる際に、前記第一筐体及び前記第二筐体が閉じるのを阻止することが可能な阻止部を更に備える、
請求項１に記載の本型玩具。
【請求項３】
前記阻止部は、前記第二筐体に対して前記第一筐体が折り畳まれる軌跡上に位置する阻止位置と前記軌跡上に位置しない解除位置との間で移動可能となるように、前記第二筐体に設けられている、
請求項２に記載の本型玩具。
【請求項４】
前記阻止部を前記解除位置側から前記阻止位置側に付勢する弾性部材を更に備える、
請求項３に記載の本型玩具。
【請求項５】
前記第一筐体は、略矩形板状に形成されて前記ヒンジに連結されており、
前記第二筐体は、
略矩形板状に形成されて前記ヒンジに連結され、前記第一筐体と前記第二筐体とが折り畳まれた折畳状態において前記第一筐体に重ね合わされる本体部と、
前記本体部の前記ヒンジとは反対側の端部から突出して、前記折畳状態において前記第一筐体の前記ヒンジとは反対側の小口となる第一側面を覆うカバー部とを有し、
前記阻止部は、前記第二筐体の前記カバー部に設けられ、前記第一筐体及び前記第二筐体が折り畳まれる際に、前記第一筐体の見開き面に当接されることで、前記第一筐体及び前記第二筐体が閉じるのを阻止する、
請求項２〜４の何れか一項に記載の本型玩具。
【請求項６】
前記第二筐体は、前記折畳状態において、前記第一筐体の前記第一側面に隣り合う小口となる一対の対向する第二側面を覆わない、
請求項５に記載の本型玩具。
【請求項７】
前記ヒンジは、
前記第一筐体に固定される第一ヒンジ部と、
前記第二筐体に固定される第二ヒンジ部と、を有し、
前記第一ヒンジ部と前記第二ヒンジ部とは、着脱可能に嵌合されることで、前記第一筐体と前記第二筐体とを連結する、
請求項１〜６の何れか一項に記載の本型玩具。
【請求項８】
前記付属玩具の一つは、タッチパネルを模したタッチパネル玩具であり、
前記タッチパネル玩具は、
前記第一筐体及び前記第二筐体の少なくとも一方の筐体に形成された開口面と、
前記開口面に沿ってスライド可能に保持されるフィルム部と、
前記フィルム部を前記開口面の反対側から支持する第一支持板と、を有する、
請求項１〜７の何れか一項に記載の本型玩具。
【請求項９】
前記フィルム部は、環状に形成されており、
前記第一支持板は、前記フィルム部の内周側に配置されており、
前記タッチパネル玩具は、
前記第一支持板を挟むように配置されて前記フィルム部が掛け渡される一対の支柱と、
前記フィルム部の内周側の、前記第一支持板に対する前記開口面の反対側に配置されて、前記フィルム部を前記開口面側から支持する第二支持板と、を更に有し、
前記第二支持板は、前記開口面の反対側に凸となって前記フィルム部を支持する第一凸曲面を有する、
請求項８に記載の本型玩具。
【請求項１０】
前記タッチパネル玩具は、
前記フィルム部に固定された当接部と、
スイッチと、
前記スイッチが押されると応答動作を行う応答動作部と、
前記フィルム部のスライドに連動して前記スイッチを押す作動部と、を更に有し、
前記当接部は、前記第二支持板側に凸となって前記第二支持板に当接される第二凸曲面を有し、
前記作動部は、
前記フィルム部に接続されて前記フィルム部のスライドに連動して移動する第一作動部と、
前記第一作動部の移動に連動して前記スイッチを押す第二作動部と、を有し、
前記第一作動部は、前記フィルム部のスライド方向と交差する方向に突出する第一突起部を有し、
前記第二作動部は、前記第一突起部の移動軌跡上に突出して前記第一突起部が当接することにより押し上げられる１又は複数の第二突起部を有し、前記第一突起部により前記第二突起部が押し上げられることで前記スイッチを押す、
請求項９に記載の本型玩具。
【請求項１１】
前記付属玩具の一つは、蛇口を模した蛇口玩具であり、
前記蛇口玩具は、
前記第一筐体及び前記第二筐体の少なくとも一方の筐体に回転可能に設けられた基部と、
前記基部から突出する蛇口部と、を有し、
前記基部の回転軸線は、前記筐体の見開き面と平行な方向に延び、
前記蛇口玩具は、前記蛇口部が前記見開き面から突出する突出位置と前記蛇口部が前記見開き面から突出しない収納位置との間で回転可能となっているとともに、前記収納位置側から前記突出位置側に付勢されており、
前記蛇口部の、前記突出位置における突出方向は、前記見開き面と直交する直交方向に対して前記収納位置側に傾斜した方向を向いている、
請求項１〜１０の何れか一項に記載の本型玩具。
【請求項１２】
前記付属玩具は、洗濯バサミを模した洗濯バサミ玩具を有し、
前記洗濯バサミ玩具は、
第一アーム部と、
第二アーム部と、
前記第一アーム部及び前記第二アーム部に狭持力を与えることなく前記第一アーム部と前記第二アーム部とを回転可能に連結する連結部と、を有する、
請求項１〜１１の何れか一項に記載の本型玩具。
【請求項１３】
前記連結部は、
前記第一アーム部に固定された第一回転部と、
前記第二アーム部に固定されて、前記第一回転部に対して回転可能に嵌合された第二回転部と、を有し、
前記第一回転部は、凸部を有し、
前記第二回転部は、前記第一アーム部に対して前記第二アーム部が回転することで前記凸部が順次嵌め込まれる複数の凹部を有する、
請求項１２に記載の本型玩具。
【発明の詳細な説明】
【技術分野】
【０００１】
本発明は、第一筐体と第二筐体とが折り畳み可能に連結された本型玩具に関する。
【背景技術】
【０００２】
従来、幼児用の玩具として、ベースとなる本体部の外周面に複数の付属玩具が設けられたものがある。例えば、特許文献１には、自動車、家、ピアノ、冷蔵庫、レンジなどの形態を模した収納体の外面に、電話機、時計、電気器具などの形態を模した複数の家庭用具玩具を設けた知育玩具が記載されている。
【先行技術文献】
【特許文献】
【０００３】
【特許文献１】実公平０６−０４７５１９号公報
【発明の概要】
【発明が解決しようとする課題】
【０００４】
特許文献１に記載された知育玩具では、収納体の外面に家庭用具玩具が設けられているため、知育玩具の外観を見ただけで、知育玩具がどのようなものかを容易に把握することができる。このため、知育玩具で遊ぶ際に、幼児に期待感や驚きを十分に与えられない可能性がある。
【０００５】
本発明者らは、幼児の行動などを観察し、幼児がどのような対象に期待や驚きを感じるのかを研究した結果、絵本を開いて見開きに絵が現れるときに、大きな期待や驚きを感じるとの知見を得た。なお、特許文献１は、収納体に付属玩具を収納するものでしかなく、本を開くようなものではないため、幼児に期待や驚きを感じさせることはできない。
【０００６】
本発明は、上記知見に基づいて成されたものであり、幼児に期待や驚きを感じさせることができる本型玩具を提供することを目的とする。
【課題を解決するための手段】
【０００７】
本発明に係る本型玩具は、第一筐体と、第二筐体と、第一筐体と第二筐体とを折畳可能に連結するヒンジと、を備え、第一筐体及び第二筐体は、ヒンジにより折り畳み可能となっており、第一筐体及び第二筐体の見開き面の双方に、付属玩具が設けられている。
【０００８】
本発明に係る本型玩具では、第一筐体と第二筐体とが畳み可能に連結されており、第一筐体及び第二筐体の見開き面の双方に付属玩具が設けられている。このため、第一筐体及び第二筐体が閉じた状態において、幼児は、第一筐体及び第二筐体を開いて見開きに現れる付属玩具を想像することで、大きな期待を感じることができる。しかも、第一筐体及び第二筐体が閉じた状態と開いた状態とでは形態が異なるとともに、第一筐体及び第二筐体を開くことで見開きに付属玩具が現れるため、大きな驚きを感じることができる。これにより、幼児の興味を更に引くことができる。
【０００９】
ところで、第一筐体と第二筐体とを折り畳むと、第一筐体と第二筐体との間に物などが挟まる可能性がある。そこで、第一筐体及び第二筐体が折り畳まれる際に、第一筐体及び第二筐体が閉じるのを阻止することが可能な阻止部を更に備えてもよい。この本型玩具では、第一筐体及び第二筐体が折り畳まれる際に第一筐体及び第二筐体が閉じるのを阻止することが可能な阻止部を備えるため、阻止部により第一筐体及び第二筐体が閉じるのを阻止することで、第一筐体と第二筐体との間に物などが挟まるのを抑制することができる。
【００１０】
阻止部は、第二筐体に対して第一筐体が折り畳まれる軌跡上に位置する阻止位置と軌跡上に位置しない解除位置との間で移動可能となるように、第二筐体に設けられていてもよい。この本型玩具では、阻止部が、第二筐体に対して第一筐体が折り畳まれる軌跡上に位置する阻止位置と当該軌跡上に位置しない解除位置との間で移動可能となるように第二筐体に設けられている。このため、阻止部が阻止位置に位置することで、第二筐体に対して第一筐体が折り畳まれるのを阻止することができ、阻止部が解除位置に位置することで、第二筐体に対して第一筐体を折り畳むことが可能となる。これにより、第一筐体と第二筐体との間に物などが挟まるのを抑制することができる。
【００１１】
阻止部を解除位置側から阻止位置側に付勢する弾性部材を更に備えてもよい。この本型玩具では、弾性部材により阻止部が解除位置側から阻止位置側に付勢されているため、弾性部材の付勢力に抗して阻止部を解除位置に移動させない限り、阻止部は阻止位置で保持された状態となる。このため、意図せずに第一筐体と第二筐体とが折り畳まれるのを防止することができる。
【００１２】
第一筐体は、略矩形板状に形成されてヒンジに連結されており、第二筐体は、略矩形板状に形成されてヒンジに連結され、第一筐体と第二筐体とが折り畳まれた折畳状態において第一筐体に重ね合わされる本体部と、本体部のヒンジとは反対側の端部から突出して、折畳状態において第一筐体のヒンジとは反対側の小口となる第一側面を覆うカバー部とを有し、阻止部は、第二筐体のカバー部に設けられ、第一筐体及び第二筐体が折り畳まれる際に、第一筐体の見開き面に当接されることで、第一筐体及び第二筐体が閉じるのを阻止してもよい。この本型玩具では、第一筐体及び第二筐体の本体部が、略矩形板状に形成されてヒンジに連結されて互いに重ね合わされるため、第一筐体と第二筐体とを本のように開閉することができる。そして、阻止部は、第一筐体及び第二筐体が折り畳まれる際に、第一筐体の見開き面に当接されることで、第一筐体及び第二筐体が閉じるのを阻止することができる。しかも、阻止部は、本体部の端部から突出して第一筐体の第一側面を覆う第二筐体のカバー部に設けられているため、第一筐体及び第二筐体が折り畳まれた後は、阻止部により第一筐体及び第二筐体を閉じた状態に保持することができる。これにより、第一筐体及び第二筐体が意図せず開くのを防止することができる。
【００１３】
第二筐体は、折畳状態において、第一筐体の第一側面に隣り合う小口となる一対の対向する第二側面を覆わなくてもよい。この本型玩具では、第二筐体が第一筐体の第一側面に隣接する一対の対向する第二側面を覆わないため、第一筐体及び第二筐体を折り畳む際に、第二側面側に物などが挟まっても、当該物に強い荷重が作用するのを防止することができる。
【００１４】
ヒンジは、第一筐体に固定される第一ヒンジ部と、第二筐体に固定される第二ヒンジ部と、を有し、第一ヒンジ部と前二ヒンジ部とは、着脱可能に嵌合されることで、第一筐体と前記第二筐体とを連結してもよい。この本型玩具では、第一筐体に固定される第一ヒンジ部と第二筐体に固定される第二ヒンジ部とが着脱可能に嵌合されるため、第一筐体と第二筐体との間に物などが挟まった状態で第一筐体及び第二筐体を折り畳んでも、第一ヒンジ部と第二ヒンジ部とが分離することで、第一筐体と第二筐体とが分離する。これにより、第一筐体と第二筐体との間に挟まれた物などに強い荷重が作用するのを抑制することができる。
【００１５】
付属玩具の一つは、タッチパネルを模したタッチパネル玩具であり、タッチパネル玩具は、第一筐体及び第二筐体の少なくとも一方の筐体に形成された開口面と、開口面に沿ってスライド可能に保持されるフィルム部と、フィルム部を開口面の反対側から支持する第一支持板と、を有してもよい。この本型玩具では、付属玩具の一つとして設けられるタッチパネル玩具は、開口面に沿ってスライド可能に保持されるフィルム部が、第一支持板により開口面の反対側から支持されている。このため、開口面からフィルム部を指で押すと、フィルム部が指と第一支持板とに挟まれるため、この状態で第一支持板に沿って指を動かすことで、容易にフィルム部をスライドさせることができる。これにより、幼児に対して、スマートホンなどのタッチパネルを操作しているように感じさせることができる。しかも、フィルム部に張力を付与しなくてもフィルム部をスライドさせることができるため、タッチパネル玩具の構造を簡略化することができる。
【００１６】
フィルム部は、環状に形成されており、第一支持板は、フィルム部の内周側に配置されており、タッチパネル玩具は、第一支持板を挟むように配置されてフィルム部が掛け渡される一対の支柱と、フィルム部の内周側の、第一支持板に対する開口面の反対側に配置されて、フィルム部を開口面側から支持する第二支持板と、を更に有し、第二支持板は、開口面の反対側に凸となってフィルム部を支持する第一凸曲面を有してもよい。この本型玩具では、第一支持板を挟むように配置される一対の支柱に環状のフィルム部が掛け渡されるため、フィルム部をスライドさせる際にフィルム部が撓むのを抑制することができる。また、フィルム部の内周側に、第一支持板及び第二支持板が配置されるため、フィルム部は、開口面側では第一支持板に支持され、開口面の反対側では第二支持板に支持される。そして、第二支持板には、開口面の反対側に凸となってフィルム部を支持する第一凸曲面が形成されているため、フィルム部を開口面の反対側に凸となるように湾曲させることができる。これにより、フィルム部の支柱に沿って湾曲する領域を少なくし、フィルム部をより緩やかに湾曲させることができるため、フィルム部をスライドする際の抵抗を抑制することができる。
【００１７】
前記タッチパネル玩具は、前記フィルム部に固定された当接部と、スイッチと、スイッチが押されると応答動作を行う応答動作部と、フィルム部のスライドに連動してスイッチを押す作動部と、を更に有し、当接部は、第二支持板側に凸となって第二支持板に当接される第二凸曲面を有し、作動部は、フィルム部に接続されてフィルム部のスライドに連動して移動する第一作動部と、第一作動部の移動に連動してスイッチを押す第二作動部と、を有し、第一作動部は、フィルム部のスライド方向と交差する方向に突出する第一突起部を有し、第二作動部は、第一突起部の移動軌跡上に突出して第一突起部が当接することにより押し上げられる１又は複数の第二突起部を有し、第一突起部により第二突起部が押し上げられることでスイッチを押してもよい。この本型玩具では、フィルム部の第二支持板側に固定された当接部が、第二支持板側に凸となって第二支持板に当接される第二凸曲面を有するため、フィルム部は、当接部を介して第二支持板に支持される。そして、当接部と第二支持板とは、第一凸曲面と第二凸曲面とにおいて当接するため、当接部と第二支持板との接触面積を小さくすることができる。これにより、フィルム部をスライドする際の抵抗を更に抑制することができる。また、この本型玩具では、フィルム部のスライドに連動して第一作動部が移動すると、第一作動部の第一突起部が第二作動部の第二突起部を押し上げることにより第二作動部がスイッチを押す。これにより反応動作部が反応動作を行う。反応動作としては、例えば、音声出力、発光などがある。このため、容易にフィルム部のスライドに連動して反応動作を行うことができる。しかも、第一突起部による第二突起部の押し上げにより反応動作が行われるため、フィルム部のスライド方向に関わらず、反応動作を行うことができる。更に、第二突起部が複数設けられる場合は、フィルム部のスライド量に応じて反応動作を行うことができる。
【００１８】
付属玩具の一つは、蛇口を模した蛇口玩具であり、蛇口玩具は、第一筐体及び第二筐体の少なくとも一方の筐体に回転可能に設けられた基部と、基部から突出する蛇口部と、を有し、基部の回転軸線は、筐体の見開き面と平行な方向に延び、蛇口玩具は、蛇口部が見開き面から突出する突出位置と蛇口部が見開き面から突出しない収納位置との間で回転可能となっているとともに、収納位置側から突出位置側に付勢されており、蛇口部の、突出位置における突出方向は、見開き面と直交する直交方向に対して収納位置側に傾斜した方向を向いていてもよい。この本型玩具では、蛇口玩具は、蛇口部が見開き面から突出する突出位置と蛇口部が見開き面から突出しない収納位置との間で回転可能となっているとともに、収納位置側から突出位置側に付勢されている。このため、第一筐体及び第二筐体を開いているときは、蛇口部が見開き面から突出した状態に保持される。これにより、蛇口部を本物の蛇口のように見せることができる。一方、蛇口部の、突出位置における突出方向は、見開き面と直交する直交方向に対して収納位置側に傾斜した方向を向いている。このため、第一筐体及び第二筐体を閉じると、蛇口部が、蛇口玩具が設けられていない第一筐体又は第二筐体の何れか一方に押されることにより、蛇口玩具は、突出位置から収納位置に回転し、蛇口部が見開き面から突出しない状態となる。これにより、特に蛇口玩具を回転させなくても、第一筐体及び第二筐体を閉じることができる。
【００１９】
付属玩具は、洗濯バサミを模した洗濯バサミ玩具を有し、洗濯バサミ玩具は、第一アーム部と、第二アーム部と、第一アーム部及び第二アーム部に狭持力を与えることなく第一アーム部と第二アーム部とを回転可能に連結する連結部と、を有してもよい。この本型玩具では、洗濯バサミ玩具の第一アーム部及び第二アーム部が狭持力を与えられることなく回転可能に連結されているため、洗濯バサミのように第一アーム部及び第二アーム部を動かすことができる一方で、第一アーム部及び第二アーム部により物などが狭持されるのを抑制することができる。
【００２０】
連結部は、第一アーム部に固定された第一回転部と、第二アーム部に固定されて、第一回転部に対して回転可能に嵌合された第二回転部と、を有し、第一回転部は、凸部を有し、第二回転部は、第一アーム部に対して第二アーム部が回転することで凸部が順次嵌め込まれる複数の凹部を有してもよい。この本型玩具では、第一アーム部に対して第二アーム部を回転すると、第一回転部の凸部が第二回転部の複数の凹部に順次嵌め込まれる。このとき、凸部が凹部に嵌まり込むことで、第一アーム部及び第二アーム部の回転に引っ掛かりが生じるとともに、凸部を弾く音が発生する。このため、本物の洗濯バサミのように摘まんで操作する感覚を与えることができる。
【発明の効果】
【００２１】
本発明によれば、幼児に期待や驚きを感じさせることができる。
【図面の簡単な説明】
【００２２】
【図１】実施形態に係る本型玩具の閉じた状態を示す斜視図である。
【図２】実施形態に係る本型玩具の閉じた状態を示す斜視図である。
【図３】実施形態に係る本型玩具の閉じた状態を示す正面図である。
【図４】実施形態に係る本型玩具の閉じた状態を示す平面図である。
【図５】実施形態に係る本型玩具の閉じた状態を示す底面図である。
【図６】実施形態に係る本型玩具の閉じた状態を示す斜視図である。
【図７】実施形態に係る本型玩具の開いた状態を示す正面図である。
【図８】実施形態に係る本型玩具の開いた状態を示す平面図である。
【図９】実施形態に係る本型玩具の開いた状態を示す底面図である。
【図１０】図３において阻止部が解除位置に位置する状態を示す正面図である。
【図１１】弾性部材の構成例を説明するための図である。
【図１２】阻止部が阻止状態に位置する場合の第一筐体及び第二筐体の状態を説明するための図である。
【図１３】阻止部が解除状態に位置する場合の第一筐体及び第二筐体の状態を説明するための図である。
【図１４】ヒンジの構造を説明するための断面図である。
【図１５】第一ヒンジ部と第二ヒンジ部とが分離した状態を示す図である。
【図１６】タッチパネル玩具の概略構成を示す断面図である。
【図１７】タッチパネル玩具のスイッチ構成を示す図である。
【図１８】蛇口玩具の回転位置を示す断面図である。
【図１９】（ａ）及び（ｂ）は洗濯バサミ玩具を示す図である。
【図２０】洗濯バサミ玩具の連結部の内部構造を示す断面図である。
【図２１】洗濯バサミ玩具を示す側面図である。
【発明を実施するための形態】
【００２３】
以下、図面を参照して、本発明に係る本型玩具の好適な実施形態について詳細に説明する。なお、図面中の同一又は相当部分には同一符号を付すこととする。
【００２４】
［本型玩具の基本構成］
図１〜図９に示すように、本実施形態に係る本型玩具１は、本型の玩具である。本型玩具１は、第一筐体２と、第二筐体３と、第一筐体２と第二筐体３とを折畳可能に連結するヒンジ４と、を備える。そして、第一筐体２及び第二筐体３には、複数の付属玩具５が設けられている。
【００２５】
第一筐体２は、略矩形板状に形成されてヒンジ４に連結されている。第一筐体２は、本の一方側の頁の形状をなす部材である。第一筐体２の形状である略矩形板状とは、本の片側の頁として見える程度の形状であることをいい、適宜凹凸などが形成されていてもよい。
【００２６】
第一筐体２の表面２ａには、付属玩具５として、ドアノブを模したドアノブ玩具５ａと、洗濯バサミを模した洗濯バサミ玩具５ｂと、が設けられている。ドアノブ玩具５ａは、第一筐体２の表面２ａに直接的に取り付けられており、第二筐体３に対して第一筐体２を開閉するための取っ手としても機能する。なお、洗濯バサミ玩具５ｂの詳細は後述する。
【００２７】
第一筐体２の見開き面２ｂには、付属玩具５として、ティッシュボックスを模したティッシュボックス玩具５ｃと、コンセントを模したコンセント玩具５ｄと、ブラインドを模したブラインド玩具５ｅと、が設けられている。ティッシュボックス玩具５ｃは、第一筐体２の見開き面２ｂに直接的に取り付けられており、蓋を開けてティッシュを模した布を引っ張ることが可能となっている。コンセント玩具５ｄは、第一筐体２の見開き面２ｂに直接的に取り付けられており、後述するプラグ玩具５ｆを差し込むことが可能となっている。
【００２８】
第一筐体２の表面２ａは、第一筐体２と第二筐体３とが折り畳まれた折畳状態において外側（第二筐体３とは反対側）となる面である。以下の説明では、第一筐体２と第二筐体３とが折り畳まれた折畳状態を、単に「折畳状態」ともいう。第一筐体２の見開き面２ｂは、折畳状態において内側（第二筐体３側）となる面であって、第一筐体２及び第二筐体３を開いた際の見開きとなる面である。
【００２９】
第二筐体３は、本体部６と、カバー部７と、持ち手部８と、を有する。第二筐体３は、本体部６とカバー部７とにより、ヒンジ４の軸線と直交する方向の断面が略Ｌ字状に形成されている。
【００３０】
本体部６は、略矩形板状に形成されてヒンジ４に連結されており、折畳状態において第一筐体２に重ね合わされる。本体部６は、本の他方側の頁に対応する部位である。本体部６の形状である略矩形板状とは、本の片側の頁として見える程度の形状であることをいい、適宜凹凸などが形成されていてもよい。
【００３１】
カバー部７は、本体部６のヒンジ４とは反対側の端部から突出して、折畳状態において第一筐体２のヒンジ４とは反対側の小口となる第一側面１１を覆う。カバー部７は、折畳状態において、第一側面１１と対向して第一側面１１の略全面を覆うとともに、第一筐体２の表面２ａと略面一となるように、ヒンジ４の軸線と直交する方向の断面が略矩形状に形成されている。ここで、第一筐体２を本の片側の頁として見た場合、第一筐体２の小口は、第一筐体２のヒンジ４とは反対側の小口（前小口）と、この前小口に隣り合う一対の小口（天及び地）とがある。これらの三つの小口のうち、第一筐体２のヒンジ４とは反対側の小口（前小口）が第一側面１１となり、第一側面１１に隣り合う一対の小口（天及び地）が第二側面１２，１２となる。そして、第二筐体３は、第一側面１１のみをカバー部７で覆い、一対の第二側面１２，１２を覆わない。
【００３２】
本体部６の表面６ａには、本型玩具１を置く載置面に当接されるとともに当該載置面に対する滑り止めを行うゴム足９が設けられている。本実施形態では、本体部６の表面６ａに付属玩具５は設けられていないが、本体部６の表面６ａに付属玩具５が設けられていてもよい。
【００３３】
本体部６の見開き面６ｂには、付属玩具５として、プラグを模したプラグ玩具５ｆと、タッチパネルを模したタッチパネル玩具５ｇと、蛇口を模した蛇口玩具５ｈと、が設けられている。プラグ玩具５ｆは、紐を介して本体部６の表面６ａに取り付けられており、第一筐体２の見開き面２ｂに設けられたコンセント玩具５ｄに差し込むことが可能となっている。タッチパネル玩具５ｇ及び蛇口玩具５ｈの詳細は後述する。
【００３４】
本体部６の表面６ａは、折畳状態において外側（第一筐体２とは反対側）となる面である。本体部６の見開き面６ｂは、折畳状態において内側（第一筐体２側）となる面であって、第一筐体２及び第二筐体３を開いた際の見開きとなる面である。
【００３５】
折畳状態において第一筐体２の表面２ａと略面一となるカバー部７の表面７ａには、阻止部２１と、鍵部２２と、が設けられている。なお、カバー部７の表面７ａにも、付属玩具が設けられていてもよい。
【００３６】
阻止部２１は、第一筐体２及び第二筐体３が折り畳まれる際に、第一筐体２及び第二筐体３が閉じるのを阻止することが可能な部材である。図３及び図１０に示すように、阻止部２１は、第二筐体３に対して第一筐体２が折り畳まれる軌跡上に位置する阻止位置（図３参照）と当該軌跡上に位置しない解除位置（図１０参照）との間で移動可能となるように、カバー部７の表面７ａに設けられている。阻止位置は、図３に示す阻止部２１の位置であり、解除位置は、図１０に示す阻止部２１の位置である。
【００３７】
具体的に説明すると、阻止部２１は、回転部２３と、第一突出部２４と、第二突出部２５と、を有する。
【００３８】
回転部２３は、回転可能となるようにカバー部７に軸支されている。回転部２３の回転軸線は、カバー部７の表面７ａと直交する方向に延びる。回転部２３は、本型玩具１の正面視（図３参照）においてカバー部７の表面７ａからはみ出さない形状となっている。本実施形態では、回転部２３は、本型玩具１の正面視においてカバー部７の表面７ａに収まる円形に形成されている。
【００３９】
回転部２３には、阻止部２１を解除位置側から阻止位置側に付勢する弾性部材２６が取り付けられている。弾性部材２６は、例えば、図１１に示すようなトーションスプリングにより形成されており、回転部２３（阻止部２１）の回転方向において、回転部２３を解除位置側から阻止位置側に向けて付勢する。つまり、トーションスプリングである弾性部材２６は、その一方端部がカバー部７に固定された筐体側ボス２７に係止され、その他方端部が回転部２３（阻止部２１）に固定された阻止部側ボス２８に係止される。そして、弾性部材２６の弾性力により、筐体側ボス２７に対して阻止部側ボス２８を、解除位置側から阻止位置側に付勢する。これにより、阻止部２１は、阻止位置に保持された状態となる。
【００４０】
また、回転部２３には、鍵部２２が差し込まれる鍵穴２９が形成されている。鍵部２２は、紐を介してカバー部７の表面７ａに取り付けられている。鍵穴２９は、鍵穴２９に差し込まれた鍵部２２により阻止部２１を回転させるための穴である。このため、鍵穴２９は、鍵穴２９に差し込まれた鍵部２２が空転することなく係止される形状となっている。鍵穴２９及び鍵部２２の形状としては、例えば、直線、曲線等の線状、三角形、四角形等の多角形状、楕円状、星型、十字型等の特殊形状などとすることができる。
【００４１】
第一突出部２４は、回転部２３から突出する部位である。第一突出部２４は、例えば、回転部２３から、回転部２３の回転軸線と直交する方向に延びている。第一突出部２４は、阻止部２１が阻止位置に位置する場合に、第二筐体３に対して第一筐体２が折り畳まれる軌跡上に位置し、阻止部２１が解除位置に位置する場合に、第二筐体３に対して第一筐体２が折り畳まれる軌跡上に位置しないように、形成されている。
【００４２】
また、第一突出部２４は、折畳状態において阻止部２１が阻止位置に位置する場合に、第一筐体２の外側に位置するように形成されている。この場合、第一突出部２４は、第一筐体２の表面２ａに当接するように形成されていることが好ましい。
【００４３】
第二突出部２５は、第一突出部２４とは逆方向に回転部２３から突出する部位である。第二突出部２５は、第一突出部２４とともに手で阻止部２１を回転させるための部位である。
【００４４】
図６〜図９及び図１２に示すように、第一筐体２及び第二筐体３が開かれた状態において、阻止部２１が阻止位置に位置する場合は、第二筐体３に対して第一筐体２を折り畳もうとしても、第一筐体２が第一突出部２４に当接することで、第二筐体３に対する第一筐体２の折り畳みが阻止される。これにより、第一筐体２と第二筐体３との間の隙間が残った状態となる。一方、図１０及び図１３に示すように、第一筐体２及び第二筐体３が開かれた状態において、阻止部２１が解除位置に位置する場合は、第二筐体３に対して第一筐体２を折り畳むことが可能となる。図１〜図５に示すように、折畳状態において阻止部２１が阻止位置に位置する場合は、第一突出部２４により、第二筐体３に対して第一筐体２が開くのが阻止されることで、第一筐体２及び第二筐体３が折畳状態に保持される。一方、図１０及び図１３に示すように、折畳状態において阻止部２１が解除位置に位置する場合は、第二筐体３に対して第一筐体２を開くことが可能となる。
【００４５】
図１４及び図１５に示すように、ヒンジ４は、第一筐体２に固定される第一ヒンジ部３１と、第二筐体３に固定される第二ヒンジ部３２と、を有する。第一ヒンジ部３１と第二ヒンジ部３２とは、互いに互いに着脱可能に嵌合さることで、第一筐体２と第二筐体３とを連結する。第一ヒンジ部３１と第二ヒンジ部３２が着脱可能に嵌合される構造としては、例えば、以下の構造を用いることができる。但し、第一ヒンジ部３１と第二ヒンジ部３２が着脱可能に嵌合される構造は、以下の構造に限定されるものではない。
【００４６】
第一ヒンジ部３１は、ヒンジ４の軸線上に形成された凹部３３を有する。第二ヒンジ部３２は、第一ヒンジ部３１の凹部３３に嵌め込まれる凸部３４を有する。凸部３４は、出没可能に保持されているとともに、コイルスプリングなどの弾性部材により凹部３３側に付勢されている。このため、通常は、弾性部材の付勢力により凸部３４が凹部３３に嵌め込まれることで、第一ヒンジ部３１と第二ヒンジ部３２とが嵌合された状態に保持される。一方、第一筐体２と第二筐体３との間に物などが挟まることにより第一ヒンジ部３１と第二ヒンジ部３２との間に荷重が作用すると、弾性部材の付勢力に抗して凸部３４が凹部３３から外れて、第一ヒンジ部３１と第二ヒンジ部３２とが分離される。
【００４７】
持ち手部８は、本型玩具１を持ち運びするために手で持つ部位である。持ち手部８は、本体部６の側面から突出している。但し、持ち手部８は、折畳状態において第一筐体２の小口となる第一側面１１及び一対の第二側面１２，１２を覆っておらず、本体部６の厚さの範囲内に収まっている。
【００４８】
このように、本実施形態に係る本型玩具１では、第一筐体２と第二筐体３とが畳み可能に連結されており、第一筐体２の見開き面２ｂ及び第二筐体３の見開き面６ｂの双方に付属玩具５が設けられている。このため、第一筐体２及び第二筐体３が閉じた状態において、幼児は、第一筐体２及び第二筐体３を開いて見開きに現れる付属玩具５を想像することで、大きな期待を感じることができる。しかも、第一筐体２及び第二筐体３が閉じた状態と開いた状態とでは形態が異なるとともに、第一筐体２及び第二筐体３を開くことで見開きに付属玩具５が現れるため、大きな驚きを感じることができる。これにより、幼児の興味を更に引くことができる。
【００４９】
また、第一筐体２及び第二筐体３が折り畳まれる際に第一筐体２及び第二筐体３が閉じるのを阻止することが可能な阻止部２１を備えるため、阻止部２１により第一筐体２及び第二筐体３が閉じるのを阻止することで、第一筐体２と第二筐体３との間に物などが挟まるのを抑制することができる。
【００５０】
また、阻止部２１が、第二筐体３に対して第一筐体２が折り畳まれる軌跡上に位置する阻止位置と当該軌跡上に位置しない解除位置との間で移動可能となるように第二筐体３に設けられている。このため、阻止部２１が阻止位置に位置することで、第二筐体３に対して第一筐体２が折り畳まれるのを阻止することができ、阻止部２１が解除位置に位置することで、第二筐体３に対して第一筐体２を折り畳むことが可能となる。これにより、第一筐体２と第二筐体３との間に物などが挟まるのを抑制することができる。
【００５１】
また、弾性部材２６により阻止部２１が解除位置側から阻止位置側に付勢されているため、弾性部材２６の付勢力に抗して阻止部２１を解除位置に移動させない限り、阻止部２１は阻止位置で保持された状態となる。このため、意図せずに第一筐体２と第二筐体３とが折り畳まれるのを防止することができる。
【００５２】
また、第一筐体２及び第二筐体３の本体部６が、略矩形板状に形成されてヒンジ４に連結されて互いに重ね合わされるため、第一筐体２と第二筐体３とを本のように開閉することができる。そして、阻止部２１は、第一筐体２及び第二筐体３が折り畳まれる際に、第一筐体２の見開き面に当接されることで、第一筐体２及び第二筐体３が閉じるのを阻止することができる。しかも、阻止部２１は、本体部６の端部から突出して第一筐体２の第一側面１１を覆う第二筐体３のカバー部７に設けられているため、第一筐体２及び第二筐体３が折り畳まれた後は、阻止部２１により第一筐体２及び第二筐体３を閉じた状態に保持することができる。これにより、第一筐体２及び第二筐体３が意図せず開くのを防止することができる。
【００５３】
また、第二筐体３が第一筐体２の第一側面１１に隣接する一対の対向する第二側面１２，１２を覆わないため、第一筐体２及び第二筐体３を折り畳む際に、第二側面１２，１２側に物などが挟まっても、当該物に強い荷重が作用するのを防止することができる。
【００５４】
また、第一筐体２に固定される第一ヒンジ部３１と第二筐体３に固定される第二ヒンジ部３２とが着脱可能に嵌合されるため、第一筐体２と第二筐体３との間に物などが挟まった状態で第一筐体２及び第二筐体３を折り畳んでも、第一ヒンジ部３１と第二ヒンジ部３２とが分離することで、第一筐体２と第二筐体３とが分離する。これにより、第一筐体２と第二筐体３との間に挟まれた物などに強い荷重が作用するのを抑制することができる。
【００５５】
［タッチパネル玩具］
図６〜図９、図１６及び図１７に示すように、タッチパネル玩具５ｇは、開口面４０と、一対の支柱４１，４１と、フィルム部４２と、第一支持板４３と、第二支持板４４と、当接部４５と、スイッチ４６と、音声出力部４７と、発光部４８と、作動部４９と、を有する。
【００５６】
開口面４０は、タッチパネルの操作面となる開口であり、第二筐体３の本体部６の見開き面６ｂに形成されている。なお、本実施形態では、タッチパネル玩具５ｇが第二筐体３に形成されているため、開口面４０が第二筐体３に形成されているが、タッチパネル玩具５ｇが第一筐体２に形成される場合は、開口面４０も第一筐体２に形成される。開口面４０の形状は特に限定されないが、本実施形態では、矩形状であるものとして説明する。
【００５７】
一対の支柱４１，４１は、第一筐体２内に配置されて、第一筐体２に固定されている。なお、本実施形態では、一対の支柱４１，４１は第一筐体２に固定されているが、コストや製造容易性等の観点から許容できるのであれば、第一筐体２に回転可能に軸支されていてもよい。一対の支柱４１，４１は、円柱状に形成されており、開口面４０の近傍において開口面４０と平行な方向に配列されている。
【００５８】
フィルム部４２は、タッチパネルの表示面に対応する部材であり、開口面４０に沿ってスライド可能に保持される。このため、フィルム部４２の一部が、開口面４０から露出する。フィルム部４２は、一対の支柱４１，４１に架け渡されることで、開口面４０から露出するとともに、開口面４０に沿ってスライド可能に保持されている。フィルム部４２は、薄いフィルム状の部材で環状に形成されている。なお、フィルム部４２は、必ずしも全周においてフィルム状の部材で構成されていなくてもよく、例えば、フィルム状の部材が別部材を介して環状に形成されていてもよい。また、フィルム部４２は、必ずしも環状に形成されていなくてもよく、例えば、帯状に形成されて、その両端が第二筐体３から脱離しないように第二筐体３に保持されていてもよい。フィルム部４２は、開口面４０からフィルム部４２の奥側が見えないように着色されていてもよい。また、フィルム部４２には、タッチパネルの表示画面を模した絵やマーク等が付されていてもよい
第一支持板４３は、フィルム部４２を開口面４０の反対側から支持する。第一支持板４３は、一対の支柱４１，４１に挟まれるように、フィルム部４２の内周側に配置されている。換言すると、一対の支柱４１，４１は、フィルム部４２の内周側において、第一支持板４３を挟むように配置されている。第一支持板４３のフィルム部４２を支持する支持面４３ａは、開口面４０に沿った形状に形成されている。支持面４３ａの形状としては、例えば、開口面４０に沿った平面状、開口面４０に沿った曲面状とすることができる。
【００５９】
第二支持板４４は、フィルム部４２の内周側の、第一支持板４３に対する開口面４０の反対側に配置されて、フィルム部４２を開口面４０側から支持する。第二支持板４４は、開口面４０の反対側に凸となってフィルム部４２を支持する第一凸曲面４４ａを有する。第一凸曲面４４ａは、第二支持板４４の開口面４０側の面である。一対の支柱４１，４１の対向方向と直交する方向において、第一凸曲面４４ａの少なくとも一部は、一対の支柱４１，４１よりも開口面４０の反対側に位置する。第一凸曲面４４ａの曲面形状は、例えば、第一凸曲面４４ａの延長線上に一対の支柱４１，４１が配置される円弧形状とすることができる。
【００６０】
当接部４５は、フィルム部４２に固定される。当接部４５は、第二支持板４４側に凸となって第二支持板４４に当接される第二凸曲面４５ａを有する。第二凸曲面４５ａは、当接部４５の第二支持板４４側の面である。なお、フィルム部４２の第二支持板４４側の面に当接部４５が固定されていてもよく、当接部４５にフィルム部４２の両端部が固定されていてもよい。フィルム部４２の延在方向と直交する方向において、当接部４５の少なくとも一部は、フィルム部４２よりも第二支持板４４側に位置する。第二凸曲面４５ａの曲面形状は、例えば、第一凸曲面４４ａよりも小さい曲率の円弧形状とすることができる。
【００６１】
スイッチ４６は、音声出力部４７及び発光部４８を作動させるためのスイッチである。スイッチ４６は、当接部４５の近傍に配置されている。スイッチ４６としては、例えば、図１７に示すように互いに離間された第一電極４６ａ及び第二電極４６ｂを備え、第一電極４６ａが第二電極４６ｂ側に押されることで通電するものであってもよい。
【００６２】
音声出力部４７は、スイッチ４６が押されると応答動作を行う応答動作部である。音声出力部４７は、応答動作として、音声を出力する。音声出力部４７は、スイッチ４６が押されるたびに音声を出力する。音声出力部４７は、例えば、複数の音（擬音、擬声等）を記録しており、スイッチ４６が押される度に記憶している音を順次出力してもよい。
【００６３】
発光部４８は、スイッチ４６が押されると応答動作を行う応答動作部である。発光部４８は、応答動作として、発光する。発光部４８は、スイッチ４６が押される度に発光する。発光部４８は、例えば、発光パターンを記憶しており、スイッチ４６が押される度に記憶している発光パターンで発光してもよく、複数の発光パターンを記憶しており、スイッチ４６が押される度に記憶している発光パターンで順次発光してもよい。
【００６４】
作動部４９は、フィルム部４２のスライドに連動してスイッチ４６を押す。図１７に示すように、作動部４９は、第一作動部５１と、第二作動部５２と、を有する。
【００６５】
第一作動部５１は、フィルム部４２に接続されてフィルム部４２のスライドに連動して移動する。具体的には、第一作動部５１は、当接部４５に固定されており、当接部４５を介してフィルム部４２に接続されている。これにより、フィルム部４２がスライドすると、フィルム部４２のスライドに連動して第一作動部５１が移動する。そして、第一作動部５１は、フィルム部４２のスライド方向と交差する方向に突出する第一突起部５３を有する。
【００６６】
第二作動部５２は、第一作動部５１の移動に連動してスイッチ４６を押す。具体的には、第二作動部５２は、スイッチ４６の近傍の、第一作動部５１の第一突起部５３によりスイッチ４６側に押し上げられる位置に配置されるとともに、スイッチ４６に対する接離方向に移動可能に保持されている。そして、第二作動部５２は、第一突起部５３の移動軌跡上に突出して第一突起部５３が当接することにより押し上げられる１又は複数の第二突起部５４を有する。つまり、第二作動部５２は、第一突起部５３の移動軌跡上に突出しているため、第一作動部５１が移動すると、第一作動部５１の第一突起部５３が第二突起部５４に当接する。そして、更に第一作動部５１が更に移動すると、第二突起部５４が押し上げて第二突起部５４を通過する。これにより、音声出力部４７は音声を出力し、発光部４８は発光する。なお、第二作動部５２が複数の第二突起部５４を有する場合は、第一作動部５１の移動量に応じて、つまり、フィルム部４２のスライド量に応じて、第一突起部５３が押し上げる第二突起部５４の数、つまり、第一作動部５１が第二作動部５２を押し上げる回数が変わる。
【００６７】
第一突起部５３及び第二突起部５４は、互いの移動を阻害せずに、第一突起部５３の移動により第二突起部５４を押し上げることができる形状に形成されている。第一突起部５３及び第二突起部５４の形状としては、例えば、半球状とすることができる。
【００６８】
このように、本型玩具１のタッチパネル玩具５ｇでは、開口面４０に沿ってスライド可能に保持されるフィルム部４２が、第一支持板４３により開口面４０の反対側から支持されている。このため、開口面４０からフィルム部４２を指で押すと、フィルム部４２が指と第一支持板４３とに挟まれるため、この状態で第一支持板４３に沿って指を動かすことで、容易にフィルム部４２をスライドさせることができる。これにより、幼児に対して、スマートホンなどのタッチパネルを操作しているように感じさせることができる。しかも、フィルム部４２に張力を付与しなくてもフィルム部４２をスライドさせることができるため、タッチパネル玩具５ｇの構造を簡略化することができる。
【００６９】
また、第一支持板４３を挟むように配置される一対の支柱４１，４１に環状のフィルム部４２が掛け渡されるため、フィルム部４２をスライドさせる際にフィルム部４２が撓むのを抑制することができる。また、フィルム部４２の内周側に、第一支持板４３及び第二支持板４４が配置されるため、フィルム部４２は、開口面４０側では第一支持板４３に支持され、開口面４０の反対側では第二支持板４４に支持される。そして、第二支持板４４には、開口面４０の反対側に凸となってフィルム部４２を支持する第一凸曲面４４ａが形成されているため、フィルム部４２を開口面４０の反対側に凸となるように湾曲させることができる。これにより、フィルム部４２の支柱４１に沿って湾曲する領域を少なくし、フィルム部４２をより緩やかに湾曲させることができるため、フィルム部４２をスライドする際の抵抗を抑制することができる。
【００７０】
また、フィルム部４２の第二支持板４４側に固定された当接部４５が、第二支持板４４側に凸となって第二支持板４４に当接される第二凸曲面４５ａを有するため、フィルム部４２は、当接部４５を介して第二支持板４４に支持される。そして、当接部４５と第二支持板４４とは、第一凸曲面４４ａと第二凸曲面４５ａとにおいて当接するため、当接部４５と第二支持板４４との接触面積を小さくすることができる。これにより、フィルム部４２をスライドする際の抵抗を更に抑制することができる。
【００７１】
また、フィルム部４２のスライドに連動して第一作動部５１が移動すると、第一作動部５１の第一突起部５３が第二作動部５２の第二突起部５４を押し上げることにより第二作動部５２がスイッチ４６を押す。これにより音声出力部４７から音声が出力されるとともに発光部４８が発光する。このため、容易にフィルム部４２のスライドに連動して音声を出力するとともに発光させることができる。しかも、第一突起部５３による第二突起部５４の押し上げにより音声が出力されるとともに発光されるため、フィルム部４２のスライド方向に関わらず、音声を出力するとともに発光させることができる。更に、第二突起部５４が複数設けられる場合は、フィルム部４２のスライド量に応じて音声を出力するとともに発光させることができる。
【００７２】
［蛇口玩具］
図６〜図９及び図１８に示すように、蛇口玩具５ｈは、基部６１と、蛇口部６２と、を有する。
【００７３】
基部６１は、第二筐体３に回転可能に設けられている。基部６１の回転軸線は、第二筐体３の本体部６の見開き面６ｂと平行な方向に延びる。基部６１は、蛇口に至る水道管を模した部位であり、円筒状に形成されている。基部６１は、略円筒状に形成されており、第二筐体３の本体部６の見開き面６ｂから突出していない。
【００７４】
蛇口部６２は、基部６１から突出している。蛇口部６２は、蛇口を模した部位であり、基部６１の回転軸線に対する放射方向（基部６１の回転軸線と直交する方向）に向けて突出している。
【００７５】
蛇口玩具５ｈは、蛇口部６２が第二筐体３の本体部６の見開き面６ｂから突出する突出位置と蛇口部６２が第二筐体３の本体部６の見開き面６ｂから突出しない収納位置との間で回転可能となるように、第二筐体３に設けられている。突出位置は、図１８の実線で示す位置であり、収納位置は、図１８の二点鎖線で示す位置である。
【００７６】
そして、蛇口玩具５ｈは、収納位置側から突出位置側に付勢されている。蛇口玩具５ｈの付勢は、例えば、阻止部２１の弾性部材２６と同様の構造により実現することができる（図１１参照）。これにより、蛇口玩具５ｈは、突出位置に保持された状態となる。
【００７７】
蛇口部６２の、蛇口玩具５ｈの突出位置における突出方向は、第二筐体３の本体部６の見開き面６ｂと直交する方向に対して収納位置側に傾斜した方向を向いている。このため、第一筐体２及び第二筐体３を閉じようとすると、第一筐体２の見開き面２ｂが蛇口部６２を押すが、第一筐体２の見開き面２ｂが蛇口部６２を押す力は、蛇口玩具５ｈを突出位置から収納位置に移動させる方向に向けられる。これにより、突出位置に保持されていた蛇口玩具５ｈが収納位置に移動するため、第一筐体２及び第二筐体３が閉じられる。
【００７８】
このように、本型玩具１の蛇口玩具５ｈでは、蛇口部６２が見開き面６ｂから突出する突出位置と蛇口部６２が見開き面６ｂから突出しない収納位置との間で回転可能となっているとともに、収納位置側から突出位置側に付勢されている。このため、第一筐体２及び第二筐体３を開いているときは、蛇口部６２が見開き面６ｂから突出した状態に保持される。これにより、蛇口部６２を本物の蛇口のように見せることができる。一方、蛇口部６２の、突出位置における突出方向は、見開き面６ｂと直交する直交方向に対して収納位置側に傾斜した方向を向いている。このため、第一筐体２及び第二筐体３を閉じると、蛇口部６２が第一筐体２に押されることにより、蛇口玩具５ｈは、突出位置から収納位置に回転し、蛇口部６２が見開き面６ｂから突出しない状態となる。これにより、特に蛇口玩具５ｈを回転させなくても、第一筐体２及び第二筐体３を閉じることができる。
【００７９】
［洗濯バサミ玩具］
図１〜図５及び図１９に示すように、洗濯バサミ玩具５ｂは、第一アーム部７１と、第二アーム部７２と、連結部７３と、保護板７４と、を有する。
【００８０】
第一アーム部７１及び第二アーム部７２は、それぞれ洗濯バサミの持ち手となる把持部と、洗濯物を挟む狭持部と、を模した形状となっている。
【００８１】
連結部７３は、第一アーム部７１及び第二アーム部７２に狭持力を与えることなく第一アーム部７１と第二アーム部７２とを回転可能に連結する。このため、第一アーム部７１及び第二アーム部７２は、連結部７３による回転可能範囲で、任意の位置に保持される。連結部７３による第一アーム部７１及び第二アーム部７２の回転可能範囲は、特に限定されないが、連結部７３は、第一アーム部７１の端部と第二アーム部７２の端部とが当接しない範囲で、第一アーム部７１と第二アーム部７２とを回転可能に連結していることが好ましい。第一アーム部７１の端部と第二アーム部７２の端部とが当接しない範囲としては、例えば、幼児の指が挟まれない程度の範囲とすることができる。
【００８２】
図１９及び図２０に示すように、連結部７３は、第一回転部７５と、第二回転部７６と、を備える。
【００８３】
第一回転部７５は、第一アーム部７１に固定されている。第二回転部７６は、第二アーム部７２に固定されて、第一回転部７５に対して回転可能に嵌合されている。そして、第一回転部７５は、凸部７７を有し、第二回転部７６は、第一回転部７５の凸部７７が嵌め込まれる複数の凹部７８を有する。複数の凹部７８は、第一アーム部７１（第一回転部７５）と第二アーム部７２（第二回転部７６）とを相対的に回転することで、第一回転部７５の凸部７７が順次嵌め込まれる位置に設けられている。例えば、第一回転部７５は、外周面に凸部７７が形成された円形の突起とし、第二回転部７６は、この円形の突起が挿入されるとともに内周面に複数の凹部７８が形成された円形の穴とすることができる。これにより、第一回転部７５に対して第二回転部７６が回転すると、複数の凹部７８に凸部７７が順次嵌め込まれるため、第一アーム部７１及び第二アーム部７２の回転に引っ掛かりが生じるとともに、凸部７７を弾く音が発生する。なお、第一回転部７５、第二回転部７６、凸部７７及び凹部７８の形状等は、上記の例に限定されない。また、凸部７７及び凹部７８は、第一回転部７５及び第二回転部７６の何れに有していてもよい。
【００８４】
図１９及び図２１に示すように、保護板７４は、第一アーム部７１及び第二アーム部７２に接続されることなく連結部７３に接続されて、第一アーム部７１と第二アーム部７２の間に配置される。第一アーム部７１と第二アーム部７２の間とは、連結部７３の回転軸線方向から見た場合の、第一アーム部７１と第二アーム部７２の間をいう。保護板７４は、略円板状に形成されており、その中央部において連結部７３に接続されている。略円板状とは、角が無く周縁が曲線に形成された形状をいい、真円の円板状の他、楕円の円板状、歪んだ円形の円板状なども含まれる。第一アーム部７１及び第二アーム部７２には、スリット７９が形成されており、このスリット７９に保護板７４が挿入されている。これにより、保護板７４は、第一アーム部７１及び第二アーム部７２に接続されることなく連結部７３に接続されている。そして、略円板状に形成された保護板７４が、第一アーム部７１及び第二アーム部７２に形成されたスリット７９に挿入されることで、第一アーム部７１と第二アーム部７２との間に保護板７４が配置されている。この場合、第一アーム部７１と第二アーム部７２との間の全ての領域に保護板７４が配置されている必要は無く、第一アーム部７１と第二アーム部７２との間に物などが入り込まない程度に保護板７４が配置されていればよい。
【００８５】
このように、本型玩具１の洗濯バサミ玩具５ｂでは、第一アーム部７１及び第二アーム部７２が狭持力を与えられることなく回転可能に連結されているため、洗濯バサミのように第一アーム部７１及び第二アーム部７２を動かすことができる一方で、第一アーム部７１及び第二アーム部７２により物などが狭持されるのを抑制することができる。
【００８６】
また、第一アーム部７１に対して第二アーム部７２を回転すると、第一回転部７５の凸部７７が第二回転部７６の複数の凹部７８順次嵌め込まれる。このとき、凸部７７が凹部７８に嵌まり込むことで、第一アーム部７１及び第二アーム部７２の回転に引っ掛かりが生じるとともに、凸部７７を弾く音が発生する。このため、本物の洗濯バサミのように摘まんで操作する感覚を与えることができる。
【００８７】
また、第一アーム部７１の端部と第二アーム部７２の端部とが当接しないため、第一アーム部７１及び第二アーム部７２の間に物などが挟まれるのを抑制することができる。
【００８８】
また、第一アーム部７１と第二アーム部７２の間に保護板７４が配置されるため、第一アーム部７１及び第二アーム部７２の間に物などが挟まれるのを抑制することができる。しかも、保護板７４は第一アーム部７１と第二アーム部７２に接続されないため、第一アーム部７１及び第二アーム部７２の回転を阻害するのを抑制することができる。
【００８９】
以上、本発明の好適な実施形態について説明したが、本発明は上記実施形態に限定されるものではない。例えば、第一筐体及び第二筐体の見開き面の双方に付属玩具が設けられていれば、第一筐体及び第二筐体の何れの見開き面に上記の付属玩具が設けられていてもよく、また、他の付属玩具が設けられていてもよい。
【００９０】
また、付属玩具は、第一筐体及び第二筐体に対して着脱可能に取り付けられていてもよく、第一筐体及び第二筐体から独立した玩具であってもよい。
【符号の説明】
【００９１】
１…本型玩具、２…第一筐体、２ａ…表面、２ｂ…見開き面、３…第二筐体、４…ヒンジ、５…付属玩具、５ａ…ドアノブ玩具、５ｂ…洗濯バサミ玩具、５ｃ…ティッシュボックス玩具、５ｄ…コンセント玩具、５ｅ…ブラインド玩具、５ｆ…プラグ玩具、５ｇ…タッチパネル玩具、５ｈ…蛇口玩具、６…本体部、６ａ…表面、６ｂ…見開き面、７…カバー部、７ａ…表面、８…持ち手部、９…ゴム足、１１…第一側面、１２…第二側面、２１…阻止部、２２…鍵部、２３…回転部、２４…第一突出部、２５…第二突出部、２６…弾性部材、２７…筐体側ボス、２８…阻止部側ボス、２９…鍵穴、３１…第一ヒンジ部、３２…第二ヒンジ部、３３…凹部、３４…凸部、４０…開口面、４１…支柱、４２…フィルム部、４３…第一支持板、４３ａ…支持面、４４…第二支持板、４４ａ…第一凸曲面、４５…当接部、４５ａ…第二凸曲面、４６…スイッチ、４６ａ…第一電極、４６ｂ…第二電極、４７…音声出力部、４８…発光部、４９…作動部、５１…第一作動部、５２…第二作動部、５３…第一突起部、５４…第二突起部、６１…基部、６２…蛇口部、７１…第一アーム部、７２…第二アーム部、７３…連結部、７４…保護板、７５…第一回転部、７６…第二回転部、７７…凸部、７８…凹部、７９…スリット。
【図１】
2018192192.tif 000003
【図２】
2018192192.tif 000004
【図３】
2018192192.tif 000005
【図４】
2018192192.tif 000006
【図５】
2018192192.tif 000007
【図６】
2018192192.tif 000008
【図７】
2018192192.tif 000009
【図８】
2018192192.tif 000010
【図９】
2018192192.tif 000011
【図１０】
2018192192.tif 000012
【図１１】
2018192192.tif 000013
【図１２】
2018192192.tif 000014
【図１３】
2018192192.tif 000015
【図１４】
2018192192.tif 000016
【図１５】
2018192192.tif 000017
【図１６】
2018192192.tif 000018
【図１７】
2018192192.tif 000019
【図１８】
2018192192.tif 000020
【図１９】
2018192192.tif 000021
【図２０】
2018192192.tif 000022
【図２１】
2018192192.tif 000023